(57)【特許請求の範囲】
【請求項１】
高圧配電線（１）から変圧器（６）に至る高圧引下線の上部支持碍子（３）までの高圧引下線上部縁線（２ａ）を間接活線工法により切断・接続する作業に用いる高圧引下線上部縁線支持具（１０）であって、
絶縁棒（２０）と、
前記高圧配電線を把持するための高圧配電線把持手段（３０）と、
前記高圧引下線上部縁線を把持するための高圧引下線上部縁線把持手段（４０）とを具備し、
前記高圧配電線把持手段が、前記高圧配電線を把持する位置に合わせて回転して固定することにより該高圧配電線を把持する位置を該高圧配電線把持手段の回転範囲内で自由に変えることができるように前記絶縁棒の一方の端部に取り付けられており、
前記高圧引下線上部縁線把持手段が、前記高圧引下線上部縁線を把持する位置に合わせて回転して固定することにより該高圧引下線上部縁線を把持する位置を該高圧引下線上部縁線把持手段の回転範囲内で自由に変えることができるように前記絶縁棒の他方の端部に取り付けられている、
ことを特徴とする、高圧引下線上部縁線支持具。
【請求項２】
前記高圧配電線把持手段が、前記絶縁棒の中心軸を回転軸として任意の角度に回転されて固定されるとともに該絶縁棒の中心軸と垂直な直線を回転軸として任意の角度に回転されて固定されるように前記絶縁棒に取り付けられていることを特徴とする、請求項１記載の高圧引下線上部縁線支持具。
【請求項３】
前記高圧引下線上部縁線把持手段が、前記絶縁棒の中心軸を回転軸として任意の角度に回転されて固定されるとともに該絶縁棒の中心軸と垂直な直線を回転軸として任意の角度に回転されて固定されるように前記絶縁棒に取り付けられていることを特徴とする、請求項１または２記載の高圧引下線上部縁線支持具。
【請求項４】
前記高圧配電線把持手段が、
スライド台（３１）と、
該スライド台に固定された固定把持部材（３３）と、
ホットスティックを用いて操作可能なスライド操作部材（３４）と、
該スライド操作部材が前記ホットスティックを用いて操作されると、前記固定把持部材に向ってスライドされて前記高圧配電線を該固定把持部材とで挟んで把持するスライド把持部材（３２）と、
を備えることを特徴とする、請求項１乃至３いずれかに記載の高圧引下線上部縁線支持具。
【発明の詳細な説明】
【技術分野】
【０００１】
本発明は、高圧引下線上部縁線支持具に関し、特に、高圧配電線から変圧器に至る高圧引下線（ＰＤ線）の上部支持碍子までの高圧引下線上部縁線を間接活線工法により切断・接続する作業に用いるのに好適な高圧引下線上部縁線支持具に関する。
【背景技術】
【０００２】
従来、図５に示すような電柱（不図示）上に取り付けられた変圧器６を取り替える際に間接活線工法により高圧引下線上部縁線２ａを切断・接続する作業は、以下に示す手順で行なわれている。
【０００３】
作業員は、高所作業車のバケットに乗って、上部支持碍子３から下部支持碍子４までの高圧引下線中線２ｂに短絡防止用防護具を取り付ける。続いて、作業員は、高圧配電線１から上部支持碍子３までの高圧引下線上部縁線２ａの切断箇所まで高所作業車のバケットを移動させたのち、高圧引下線上部縁線２ａを切断し、切断した高圧引下線上部縁線２ａを短絡防止用防護具が取り付けられた高圧引下線中線２ｂまで移動する。このとき、作業員は、３本の高圧引下線上部縁線２ａを１本ずつ切断しては高圧引下線中線２ｂまで移動する。
【０００４】
その後、既設の変圧器６を新しい変圧器６に取り替えると、作業員は、高圧引下線上部縁線２ａの接続準備箇所から接続箇所まで高所作業車のバケットを移動させたのち、切断した高圧引下線上部縁線２ａを接続する。このときも、作業員は、１本の高圧引下線上部縁線２ａを接続しては次の高圧引下線上部縁線２ａを接続する。
【０００５】
３本の高圧引下線上部縁線２ａの接続作業がすべて終わると、作業員は、高圧引下線中線２ｂの短絡防止用防護具の取外箇所まで高所作業車のバケットを移動させたのち、短絡防止用防護具を取り外す。
【０００６】
なお、本出願人は、下記の特許文献１において、合わせ面となる体部にボルト貫通孔を有して概略Ｖ型に対形成された可動コネクタ部材と固定コネクタ部材がそれぞれ先端方向に対向形成した半円弧状の高圧線把持部を備え、可動コネクタ部材がナット側端面をザグリ形成した弾性体圧入室を有し、固定コネクタ部材がボルト戴頭側端面に条溝を刻設した引下線挾持部と体部端面から突設した被操作把手を有し、両コネクタ部材間にボルトを貫通すとともにボルト脚杆に弾性体を介装して弾性体圧入室に収容しナット固定して、活線棒により被操作把手を掴持し、高圧線に対して可動コネクタ部材を弾性的に銜口操作または蝶番操作して離接又は脱着することにより、活線棒による簡単操作で高圧線を仮把持するとともにその状態のまま引下線芯線と高圧線とを本締め可能とした間接活線作業用引下線コネクタを提案している。
【先行技術文献】
【特許文献】
【０００７】
【特許文献１】特開２００２−５６９４２号公報
【発明の概要】
【発明が解決しようとする課題】
【０００８】
しかしながら、上述した従来の高圧引下線上部縁線２ａの切断・接続作業では、以下に示すような問題があった。
（１）高圧引下線上部縁線２ａを切断する前に短絡防止用防護具を高圧引下線中線２ｂに取り付ける必要がある。
（２）高圧引下線中線２ｂに短絡防止用防護具を取り付けたのちに高所作業車のバケットを高圧引下線上部縁線２ａの切断箇所まで移動させる必要がある。
（３）切断した高圧引下線上部縁線２ａを短絡防止用防護具が取り付けられた高圧引下線中線２ｂまで移動する必要がある。
【０００９】
本発明の目的は、短絡防止用防護具を不要にできるとともに高所作業車のバケットの移動回数を少なくすることができる高圧引下線上部縁線支持具を提供することにある。
【課題を解決するための手段】
【００１０】
本発明の高圧引下線上部縁線支持具は、高圧配電線（１）から変圧器（６）に至る高圧引下線の上部支持碍子（３）までの高圧引下線上部縁線（２ａ）を間接活線工法により切断・接続する作業に用いる高圧引下線上部縁線支持具（１０）であって、絶縁棒（２０）と、前記高圧配電線を把持するための高圧配電線把持手段（３０）と、前記高圧引下線上部縁線を把持するための高圧引下線上部縁線把持手段（４０）とを具備し、前記高圧配電線把持手段が、前記高圧配電線を把持する位置に合わせて回転して固定することにより該高圧配電線を把持する位置を該高圧配電線把持手段の回転範囲内で自由に変えることができるように前記絶縁棒の一方の端部に取り付けられており、前記高圧引下線上部縁線把持手段が、前記高圧引下線上部縁線を把持する位置に合わせて回転して固定することにより該高圧引下線上部縁線を把持する位置を該高圧引下線上部縁線把持手段の回転範囲内で自由に変えることができるように前記絶縁棒の他方の端部に取り付けられていることを特徴とする。
ここで、前記高圧配電線把持手段が、前記絶縁棒の中心軸を回転軸として任意の角度に回転されて固定されるとともに該絶縁棒の中心軸と垂直な直線を回転軸として任意の角度に回転されて固定されるように前記絶縁棒に取り付けられていてもよい。
前記高圧引下線上部縁線把持手段が、前記絶縁棒の中心軸を回転軸として任意の角度に回転されて固定されるとともに該絶縁棒の中心軸と垂直な直線を回転軸として任意の角度に回転されて固定されるように前記絶縁棒に取り付けられていてもよい。
前記高圧配電線把持手段が、スライド台（３１）と、該スライド台に固定された固定把持部材（３３）と、ホットスティックを用いて操作可能なスライド操作部材（３４）と、該スライド操作部材が前記ホットスティックを用いて操作されると、前記固定把持部材に向ってスライドされて前記高圧配電線を該固定把持部材とで挟んで把持するスライド把持部材（３２）とを備えてもよい。
【発明の効果】
【００１１】
本発明の高圧引下線上部縁線支持具は、以下に示す効果を奏する。
切断した高圧引下線上部縁線を高圧引下線上部縁線支持具によって把持したままにすることができるので、切断した高圧引下線上部縁線を移動する必要がなくなるとともに、短絡防止用防護具を高圧引下線中線に取り付ける必要がなくなる。また、短絡防止用防護具を高圧引下線中線に取り付ける必要がなくなるので、高圧引下線中線に短絡防止用防護具を取り付けたのちに高所作業車のバケットを高圧引下線上部縁線の切断箇所まで移動させる必要もなくなる。その結果、作業効率が向上するとともに、作業員が高圧活線へ近づく回数を最小にすることができ作業の安全性が向上する。
【図面の簡単な説明】
【００１２】
【図１】本発明の一実施例による高圧引下線上部縁線支持具１０の構成を示す図である。
【図２】図１に示した高圧配電線把持部３０の構成を説明するための図であり、（ａ）はスライド把持部材３２の動きを示す図であり、（ｂ）は保護板５０と固定軸部材３７との間から高圧配電線把持部３０を紙面に沿って見たときの構成を示す図である。
【図３】図１に示した高圧引下線上部縁線支持具１０を用いて間接活線工法による高圧引下線上部縁線２ａの切断・接続作業を行う手順について説明するための図である。
【図４】図１に示した高圧引下線上部縁線支持具１０を用いて間接活線工法による高圧引下線上部縁線２ａの切断・接続作業を行う手順について説明するための図である。
【図５】従来の間接活線工法による高圧引下線上部縁線の切断・接続作業について説明するための図である。
【発明を実施するための形態】
【００１３】
上記の目的を、高圧配電線を把持するための高圧配電線把持手段を絶縁棒の一方の端部に取り付けるとともに高圧引下線上部縁線を把持するための高圧引下線上部縁線把持手段を絶縁棒の他方の端部に取り付けて高圧引下線上部縁線支持具を構成することにより実現した。
【実施例１】
【００１４】
以下、本発明の高圧引下線上部縁線支持具の実施例について、図面を参照して説明する。
本発明の一実施例による高圧引下線上部縁線支持具１０は、図１に示すように、円筒状の絶縁棒２０と、２個の固定つまみ２１と、絶縁棒２０の一方の端部に取り付けられた高圧配電線把持部３０（高圧配電線把持手段）と、絶縁棒２０の他方の端部に取り付けられた縁線把持部４０（高圧引下線上部縁線把持手段）と、絶縁棒２０の軸方向（長手方向）の中心よりも高圧配電線把持部３０側に取り付けられた保護板５０とを具備する。
【００１５】
ここで、絶縁棒２０の両端部の内周面には、図１に破線で示すように固定つまみ２１の裏面に取り付けられた雄ネジと螺合する雌ねじが形成されている。
【００１６】
高圧配電線把持部３０は、スライド台３１と、スライド把持部材３２と、固定把持部材３３と、スライド操作部材３４と、支持部材３５と、支持部材固定部材３６と、固定軸部材３７と、支持部材固定つまみ３８と、連結軸３９とを備える。
【００１７】
スライド把持部材３２と固定把持部材３３とは、高圧配電線１（図５参照）を挟んで把持する面（以下、「把持面」と称する。）が互いに対向するようにスライド台３１に取り付けられている。このため、スライド把持部材３２および固定把持部材３３の把持面は曲面（凹面）とされている。また、スライド把持部材３２の上面の固定把持部材３３側は、スライド把持部材３２の下面よりも固定把持部材３３側に突出している。
スライド把持部材３２の底部には、図２（ａ）に破線で示すようにスライド操作部材３４の裏面に取り付けられた雄ネジが貫通される貫通孔が設けられている。また、この貫通孔の内周面には、スライド操作部材３４の雄ネジに螺合する雌ネジが形成されている。すなわち、スライド把持部材３２は、同図に矢印で示すように、ホットスティック（共用操作棒）を用いてスライド操作部材３４を回すことによりスライド操作部材３４の雄ネジの長手方向に沿ってスライドするように取り付けられている。
固定把持部材３３はスライド台３１の上面に固定されている。また、固定把持部材３３の上面の中央部にはスライド台３１ｂの上面に対して垂直な段差が設けられており、スライド把持部材３２の上面の固定把持部材３３側の端面がこの段差に当たることによりスライド把持部材３２が図２（ａ）に破線で示す位置よりもスライドしないようにされている。
これにより、作業員がホットスティック（共用操作棒）用いてスライド操作部材３４を回してスライド把持部材３２を固定把持部材３３に向ってスライドさせることにより、高圧配電線１をスライド把持部材３２の把持面と固定把持部材３３の把持面とで挟んで把持させることができる。
【００１８】
スライド台３１およびスライド操作部材３４は支持部材３５によって支持されている。
【００１９】
支持部材３５は、図２（ｂ）に示すように連結軸３９の一方の端部に固定されており、連結軸３９と共に回転可能とされている。
また、支持部材３５の支持部材固定部材３６側の側面には、１本の固定ピン３５ａがこの側面に対して垂直に設けられている。
【００２０】
支持部材固定部材３６は、図２（ｂ）に破線で示すように連結軸３９の他方の端部が貫通される貫通孔を有する上部部材と、図１に破線で示すように絶縁棒２０の一方の端部が貫通される貫通孔を有する下部部材とを備える。
これにより、支持部材固定部材３６は、連結軸３９の周方向に回転可能とされているとともに、絶縁棒２０の周方向に回転可能とされている。
【００２１】
固定軸部材３７は絶縁棒２０の一方の端部に固定されている。
【００２２】
支持部材固定部材３６の上部部材の支持部材３５側の側面の外周部には、固定ピン３５ａが挿入される挿入孔３６ａが周方向に沿って所定の間隔で複数個形成されている。また、連結軸３９の他方の端部の外周面には、図２（ｂ）に破線で示すように支持部材固定つまみ３８の内周面に形成された雌ネジと螺合する雄ネジが形成されている。
これにより、同図に矢印で示すように支持部材固定つまみ３８を回せば、支持部材固定部材３６を連結軸３９の軸方向（長手方向）に沿って移動させることができる。その結果、支持部材３５を連結軸３９の周方向に所望の角度ほど回転したのち、支持部材固定つまみ３８を回して支持部材固定部材３６を支持部材３５側に移動させて固定ピン３５ａを複数個の挿入孔３６ａの１つに挿入させることにより、支持部材３５をこの角度で固定することができる。
【００２３】
また、上述したように絶縁棒２０の一方の端部の内周面には固定つまみ２１の裏面に取り付けられた雄ネジと螺合する雌ねじが形成されているため、支持部材固定部材３６を絶縁棒２０の周方向に所望の角度ほど回転したのち、固定つまみ２１を回して支持部材固定部材３６を固定軸部材３７側に移動させることにより、支持部材固定部材３６を固定つまみ２１および固定軸部材３７で挟んでこの角度で固定することができる（図１参照）。
【００２４】
その結果、高圧配電線把持部３０を絶縁棒２０の中心軸を回転軸として任意の角度に回転して固定するとともに絶縁棒２０の中心軸と垂直な直線を回転軸として任意の角度に回転して固定することができるため、スライド把持部材３２および固定把持部材３３によって高圧配電線１を把持する位置を高圧配電線把持部３０（支持部材３５および支持部材固定部材３６）の回転範囲内で自由に変えることができるので、作業現場の高圧配電線１の架線状況に応じて高圧配電線１を高圧引下線上部縁線支持具１０で把持することができる。
【００２５】
縁線把持部４０は、クリップ４１と、クリップ支持部材４２と、固定軸部材４３とを備える。
【００２６】
クリップ４１は、図１に矢印で示すように支持軸４１ａを回転軸として回転可能なように、支持軸４１ａによってクリップ支持部材４２の側面に取り付けられている。
【００２７】
クリップ支持部材４２は、図１に破線で示すように絶縁棒２０の他方の端部が貫通される貫通孔を有する。
これにより、クリップ支持部材４２は絶縁棒２０の周方向に回転可能とされている。
【００２８】
固定軸部材４３は絶縁棒２０の他方の端部に固定されている。
これにより、上述したように絶縁棒２０の他方の端部の内周面には固定つまみ２１の裏面に取り付けられた雄ネジと螺合する雌ねじが形成されているため、クリップ支持部材４２を絶縁棒２０の周方向に所望の角度ほど回転したのち固定つまみ２１を回してクリップ支持部材４２を固定軸部材４３側に移動させることにより、クリップ支持部材４２を固定つまみ２１および固定軸部材４３で挟んでこの角度で固定することができる（図１参照）。
【００２９】
その結果、縁線把持部４０を絶縁棒２０の中心軸を回転軸として任意の角度に回転して固定するとともに絶縁棒２０の中心軸と垂直な直線を回転軸として任意の角度に回転して固定することができるため、クリップ４１によって高圧引下線上部縁線２ａを把持する位置を縁線把持部４０（クリップ４１およびクリップ支持部材４２）の回転範囲内で自由に変えることができるので、作業現場の高圧引下線上部縁線２ａの架線状況に応じて高高圧引下線上部縁線２ａを高圧引下線上部縁線支持具１０で把持することができる。
【００３０】
保護板５０は、絶縁棒２０の２つの固定軸部材３７，４３の間に固定されている。
また、作業員は絶縁棒２０の固定軸部材４３の下方部分（クリップ支持部材４２側の部分）を素手で持って作業することがあるため、保護板５０と固定軸部材４３との間隔Ｌは、間接活線作業を行う場合の頭上における近接限界距離が３００ｍｍであることから、３００ｍｍ以上とされている。
【００３１】
次に、高圧引下線上部縁線支持具１０を用いて間接活線工法による高圧引下線上部縁線の切断・接続作業を行う手順について、図３および図４を参照して説明する。
作業員は、２個の高圧引下線上部縁線支持具１０（以下、「第１および第２の高圧引下線上部縁線支持具１０」と称する。）を用意し、高圧配電線１の架線状況に応じて第１および第２の高圧引下線上部縁線支持具１０の支持部材３５および支持部材固定部材３６を所望の角度だけ回転させたのち高圧配電線把持部３０を絶縁棒２０に固定するとともに、高圧引下線上部縁線２ａの架線状況に応じて第１および第２の高圧引下線上部縁線支持具１０のクリップ４１およびクリップ支持部材４２を所望の角度だけ回転させたのち縁線把持部４０を絶縁棒２０に固定する。
【００３２】
その後、作業員は、高所作業車に乗って、第１の高圧引下線上部縁線支持具１０の固定軸部材４３の下方部分を持ってホットスティック（共用操作棒）をスライド操作部材３４に取り付けた後にスライド把持部材３２を一方の端側の高圧配電線１（以下、「第１の高圧配電線１」と称する。）に引っ掛けたのち、ホットスティック（共用操作棒）を用いて第１の高圧引下線上部縁線支持具１０のスライド操作部材３４を回すことにより第１の高圧配電線１を第１の高圧引下線上部縁線支持具１０の高圧配電線把持部３０で把持する。
続いて、作業員は、ホットスティック（絶縁ヤットコ）を用いて第１の高圧引下線上部縁線支持具１０のクリップ４１を開閉して第１の高圧配電線１から引き出されている高圧引下線上部縁線２ａ（以下、「第１の高圧引下線上部縁線２ａ」と称する。）を挟むことにより第１の高圧引下線上部縁線２ａを第１の高圧引下線上部縁線支持具１０の縁線把持部４０で把持する（図３参照）。
【００３３】
その後、作業員は、同様にして、第２の高圧引下線上部縁線支持具１０の高圧配電線把持部３０で他方の端側の高圧配電線１（以下、「第２の高圧配電線１」と称する。）を把持するとともに、第２の高圧引下線上部縁線支持具１０の縁線把持部４０で第２の高圧配電線１から引き出されている高圧引下線上部縁線２ａ（以下、「第２の高圧引下線上部縁線２ａ」と称する。）を把持する（図３参照）。
【００３４】
その後、作業員は、第１の高圧引下線上部縁線２ａを第１の高圧引下線上部縁線支持具１０で把持した箇所よりも第１の高圧配電線１側で第１の高圧引下線上部縁線２ａを切断したのち、第２の高圧引下線上部縁線２ａを第２の高圧引下線上部縁線支持具１０で把持した箇所よりも第２の高圧配電線１側で第２の高圧引下線上部縁線２ａを切断する。このとき、切断後の第１および第２の高圧引下線上部縁線２ａは図４に示すように第１および第２の高圧引下線上部縁線支持具１０で把持されているため、作業員は切断後の第１および第２の高圧引下線上部縁線２ａを高圧引下線中線２ｂ（図５参照）まで移動する必要がない。
【００３５】
その後、作業員は、残りの中央の高圧引下線上部縁線２ａを切断する。このとき、第１および第２の高圧引下線上部縁線２ａは既に切断されているため、３本の高圧引下線中線２ｂには電気は流れていないので、切断後の中央の高圧引下線上部縁線２ａは上部支持碍子３から垂れ下がったままとしても特に問題ない。
【００３６】
その後、既設の変圧器６を新しい変圧器６に取り替えると、作業員は、高圧引下線上部縁線支持具１０で把持していない中央の高圧引下線上部縁線２ａを接続し、続いて第１の高圧引下線上部縁線支持具１０で把持した第１の高圧引下線上部縁線２ａを接続したのち、第２の高圧引下線上部縁線支持具１０で把持した第２の高圧引下線上部縁線２ａを接続する。
【００３７】
その後、作業員は、ホットスティック（絶縁ヤットコ）を用いて第１の高圧引下線上部縁線支持具１０のクリップ４１を開いて第１の高圧引下線上部縁線２ａを外すとともに、ホットスティック（共用操作棒）を第１の高圧引下線上部縁線支持具１０のスライド操作部材３４に取り付けた後にスライド操作部材３４を回して第１の高圧引下線上部縁線支持具１０を第１の高圧配電線１から取り外す。続いて、作業員は第２の高圧引下線上部縁線支持具１０を同様にして取り外す。
【００３８】
以上の説明では、高圧配電線１をより確実に把持するためにスライド把持部材３２と固定把持部材３３とで高圧配電線１を挟んで把持する高圧配電線把持部３０を用いたが、縁線把持部４０と同様の構成の高圧配電線把持部を用いてクリップで高圧配電線１を把持するようにしてもよい。
【００３９】
また、高圧引下線上部縁線２ａをクリップ４１で挟んで把持する縁線把持部４０を用いたが、高圧引下線上部縁線２ａをより確実に把持するために高圧配電線把持部３０と同様の構成の縁線把持部を用いてスライド把持部材３２と固定把持部材３３とで高圧引下線上部縁線２ａを挟んで把持するようにしてもよい。
【００４０】
さらに、固定ピン３５を用いて支持部材３５を固定したが、支持部材３５および支持部材固定部材３６の接触面（合わせ面）に複数の係合凸部および係合凹部をそれぞれ形成して、支持部材３５の係合凸部と支持部材固定部材３６の係合凹部とを係合させることにより、支持部材３５を固定するようにしてもよい。
【００４１】
以上では、作業者が高所作業車のバケットに乗って作業を行う場合について説明したが、作業者が電柱に登って行う柱上作業においても、高圧引下線上部縁線支持具１０を使用することにより、短絡防止用防護具を不要にできるとともに切断した高圧引下線上部縁線２ａを高圧引下線中線２ｂまで移動する必要がなくなる。
【符号の説明】
【００４２】
１  高圧配電線
２ａ  高圧引下線上部縁線
２ｂ  高圧引下線中線
３  上部支持碍子
４  下部支持碍子
５  高圧カットアウト
６  変圧器
１０  高圧引下線上部縁線支持具
２０  絶縁棒
２１  固定つまみ
３０  高圧配電線把持部
３１  スライド台
３２  スライド把持部材
３３  固定把持部材
３４  スライド操作部材
３５  支持部材
３５ａ  固定ピン
３６  支持部材固定部材
３６ａ  挿入孔
３７  固定軸部材
３８  支持部材固定つまみ
３９  連結軸
４０  縁線把持部
４１  クリップ
４１ａ  支持軸
４２  クリップ支持部材
４３  固定軸部材
５０  保護板
Ｌ  間隔
【図１】
0005455465.tif 000002
【図２】
0005455465.tif 000003
【図３】
0005455465.tif 000004
【図４】
0005455465.tif 000005
【図５】
0005455465.tif 000006